(57)【要約】  【課題】  移動体の外部に存在する人に映像を提供することができる映像表示装置を提供すること。  【解決手段】  車両１５のウィンドウ１６に設けられ、外部から可視可能な表示手段１１と、表示手段１１に表示される映像を選択する入力部１２と、入力部１２によって選択された映像を表示手段１１に表示する制御部１４を設ける。また、車両に異常が発生した場合に、車両のウィンドウに設けられた音声出力部２１から音声通知を行うとともに表示手段１１により表示を行う。【選択図】  図４
2006082603.tif 000002
【特許請求の範囲】
【請求項１】
移動体に設けられ、前記移動体の外部に向かって映像を表示する表示手段と、前記表示手段に表示される映像を選択する選択手段と、前記選択手段によって選択された映像を前記表示手段に表示する表示制御手段とを備えたことを特徴とする映像表示装置。
【請求項２】
前記移動体に異常が発生したことを検出する異常検出手段を備え、前記映像制御手段は、前記移動体に異常が発生した場合に、前記選択手段によって選択された映像を前記映像表示手段に表示することを特徴とする請求項１に記載の映像表示装置。
【請求項３】
音声出力手段を有し、前記映像制御手段は、前記移動体に異常が発生した場合に、前記音声出力手段から音声通知を行うことを特徴とする請求項２に記載の映像表示装置。
【請求項４】
前記異常検出手段は、前記移動体の少なくとも一部が振動したことを検出することを特徴とする請求項２または請求項３に記載の映像表示装置。
【請求項５】
前記異常検出手段によって異常が検出されたときに、前記異常検出情報を通信回線を介して送信する送信手段を備えたことを特徴とする請求項２乃至請求項４の何れかに記載の映像表示装置。
【請求項６】
移動体の周囲の画像を撮像する撮像手段を有し、前記通信手段は前記異常検出手段によって移動体の振動が検出されたときに、前記撮像手段で撮像を行うとともに撮像された画像を送信することを特徴とする請求項３乃至請求項５の何れかに記載の映像表示装置。
【請求項７】
移動体の周囲の音声が入力される音声入力手段を有し、前記通信手段は前記異常検出手段によって移動体の振動が検出されたときに、前記音声入力手段に音声を入力するとともに入力された音声を送信することを特徴とする請求項３乃至請求項６の何れかに記載の映像表示装置。
【請求項８】
通信回線を介して外部からの情報を受信する受信手段を有し、前記映像表示手段は、前記受信した情報に基づいて前記表示手段に表示することを特徴とする請求項１乃至請求項７の何れかに記載の映像表示装置。
【請求項９】
前記音声通知手段は、前記受信した情報に基づいて前記音声出力手段から音声通知を行うことを特徴とする請求項８に記載の映像表示装置。
【請求項１０】
前記移動体が車両からなり、前記表示手段または音声出力手段の少なくとも一方を、前記移動体のウィンドウに設けたことを特徴とする請求項１乃至請求項９の何れかに記載の映像表示装置。
【発明の詳細な説明】
【技術分野】
【０００１】
本発明は、映像表示装置に関し、例えば、車両等の移動体に設けられ、液晶表示パネル等に映像を表示する映像表示装置に関する。
【背景技術】
【０００２】
従来のこの種の映像表示装置としては、特許文献１に示すようなものがあり、例えば、図１０のように示される。図１０において、車両の運転席１および助手席２の前方には映像を表示する表示部３が設けられており、この表示部３には表示制御部４によって映像が表示されるようになっている。なお、特許文献１に示すものは、表示部３が天井に設けられたプロジェクターから構成されているが、表示部３としては液晶ディスプレイやプラズマディスプレイ等を用いているものも公知である。
【特許文献１】特開平７−１６２７８３号公報
【発明の開示】
【発明が解決しようとする課題】
【０００３】
しかしながら、特許文献１に示す映像表示装置にあっては、表示部３が運転席１および助手席２前方の車内に設置してあるため、車外に存在する人に映像を提供することができないという問題があった。
【０００４】
本発明はこのような問題を解決するためになされたもので、移動体の外部に存在する人に映像を提供することができる映像表示装置を提供するものである。
【課題を解決するための手段】
【０００５】
本発明の映像表示装置は、移動体に設けられ、前記移動体の外部に向かって映像を表示する表示手段と、前記表示手段に表示される映像を選択する選択手段と、前記選択手段によって選択された映像を前記表示手段に表示する表示制御手段とを備えたものから構成される。
【０００６】
この構成により、移動体の外部に存在する人に映像を提供することができる。また、選択手段により表示手段に表示される映像を選択することができるので、外部の人に所望する映像を提供することができる。
【０００７】
また、本発明の映像表示装置は、前記移動体に異常が発生したことを検出する異常検出手段を備え、前記映像制御手段は、前記移動体に異常が発生した場合に、前記選択手段によって選択された映像を前記映像表示手段に表示するものから構成される。
【０００８】
この構成により、車両に異常が発生した際に、移動体の外部に存在する人に異常を通知することができるので、移動体が盗難されたり、搭乗者の急病等の異常を防止することができる。
【０００９】
また、本発明の映像表示装置は、音声出力手段を有し、前記映像制御手段は、前記移動体に異常が発生した場合に、前記音声出力手段から音声通知を行うものから構成される。
【００１０】
この構成により、車両に異常が発生した際に、移動体から離れた場所に存在する人に音声通知によって異常を通知することができるので、移動体が盗難されたり、搭乗者の急病等の異常を一層防止することができる。
【００１１】
また、本発明の映像表示装置は、前記異常検出手段は、前記移動体の少なくとも一部が振動したものから構成される。
【００１２】
この構成により、移動体に盗犯者が搭乗したりする等して移動体に振動が発生した場合に、移動体の異常を検出することができる。
【００１３】
また、本発明の映像表示装置は、前記異常検出手段によって異常が検出されたときに、前記異常検出情報を通信回線を介して送信する送信手段を備えたものから構成される。
【００１４】
この構成により、移動体から離れた人に移動体の異常を知らせることができるので、移動体が盗難されるのをより一層防止することができる。
【００１５】
また、本発明の映像表示装置は、移動体の周囲の画像を撮像する撮像手段を有し、前記通信手段は前記異常検出手段によって移動体の振動が検出されたときに、前記撮像手段で撮像を行うとともに撮像された画像を送信するものから構成される。
【００１６】
この構成により、盗犯者がドアを抉じ開けようとする等して移動体に振動が発生した場合に、撮像手段で盗犯者を撮像して盗犯者の画像を遠方に送信することができるので、盗犯者の特定を容易に行うことができる。
【００１７】
また、本発明の映像表示装置は、移動体の周囲の音声が入力される音声入力手段を有し、前記通信手段は前記異常検出手段によって移動体の振動が検出されたときに、前記音声入力手段に音声を入力するとともに入力された音声を送信するものから構成される。
【００１８】
この構成により、移動体のライトが点灯したままのとき等に、通行人がマイクからその旨を送信して所有者に知らせることにより、電力が無駄に消費されてしまうこと等を防止することができる。
【００１９】
また、本発明の映像表示装置は、通信回線を介して外部からの情報を受信する受信手段を有し、前記映像表示手段は、前記受信した情報に基づいて前記表示手段に表示するものから構成される。
【００２０】
この構成により、例えば、外部から移動体に対して広告等の情報を送信して表示手段に表示させたりすれば、移動体の外部に存在する多数の人に効果的な映像を提供することができる。
【００２１】
また、本発明の映像表示装置は、前記音声通知手段は、前記受信した情報に基づいて前記音声出力手段から音声通知を行うものから構成される。
【００２２】
この構成により、例えば、外部から移動体に対して広告等の情報を送信して音声通知手段から音声通知を行うようにすれば、移動体の外部に存在する多数の人に効果的な情報を提供することができる。
【００２３】
また、本発明の映像表示装置は、前記移動体が車両からなり、前記表示手段または音声出力手段の少なくとも一方を、前記移動体のウィンドウに設けたものから構成される。
【００２４】
この構成により、車両に既存のウィンドウに表示手段を取付けて表示を行ったり、あるいはウィンドウに音声通知手段を取付けて音声通知を行うようにすれば、移動体の外部に存在する人に簡単に映像を提供することができる。
【発明の効果】
【００２５】
以上説明したように、本発明は、移動体の外部に存在する人に映像を与えることができる映像表示装置を提供することができる。
【発明を実施するための最良の形態】
【００２６】
以下、本発明の実施の形態について、図面を用いて説明する。
【００２７】
図１乃至図３は本発明に係る映像表示装置の第１の実施の形態を示す図であり、映像表示装置を車載用映像装置に適用した例を示している。
【００２８】
図１において、映像表示装置は、表示手段１１、入力部１２、記憶部１３、制御部１４を含んで構成される。表示手段１１は、図２の破線で示すように示すようにカラー動画を表示可能な透過性の液晶パネルを車両（移動体）１５のウィンドウ１６の内側に貼り付けたものから構成されており、制御部１４からの信号に応じて表示制御される。
【００２９】
入力部１２は、リモコンから構成されており、テレビ映像やビデオ映像の選択・出力操作を行ったり、例えば、車両が店頭で展示されている販売用のものであれば、車両情報の選択操作を行う。
【００３０】
具体的には、入力部１２がテレビ映像やビデオ映像の選択・出力操作を行うものであれば、テンキー、電源キー、テレビ選択用のスイッチ、ビデオ選択用のスイッチ等を備えたものから構成され、車両が店頭で展示されたものであれば、車両の性能情報を指定するＡボタン、車両の値段情報を指定するＢボタン、デモ画像を表示するＣボタン等を備えたものから構成される。本実施の形態では、入力部１２が選択手段を構成している。
【００３１】
記憶部１３には車両の性能情報、値段情報、デモ情報が記憶されており、制御部１４は入力部１２からの操作信号に基づいて記憶部１３から指定された情報を読み出して表示手段１１に表示する。本実施の形態では、制御部１４が表示制御手段を構成している。
【００３２】
次に、図３のフローチャートに基づいて映像の表示方法を説明する。
【００３３】
まず、制御部１４は入力部１２からの入力があるか否かを判別し（ステップＳ１１）、例えば、車両が店頭で展示されていた場合にあっては、車両の購入希望者が車外にあるリモコンのＡボタンを押すと、入力部１２から入力があるものと判断し、記憶部１３に記憶された性能情報を選択する（ステップＳ１２）。
【００３４】
次いで、この性能情報を記憶部１３から読み出してこの性能情報に関する映像を表示手段１１に表示する（ステップＳ１３）。なお、この映像としては、車両の性能を表わす文字情報または実際に車両が走行している映像等によって表わされる。
【００３５】
このように本実施の形態では、車両１５のウィンドウ１６に設けられ、外部から可視可能な表示手段１１と、表示手段１１に表示される映像を選択する入力部１２と、入力部１２によって選択された映像を表示手段１１に表示する制御部１４を設けたので、車両１５の外部に存在する人に映像を提供することができる。また、入力部１２により表示手段１１に表示される映像を選択、例えば、テレビ画像、ビデオ画像、上述した販売用の画像を表示することができるので、外部の人に所望する映像を提供することができる。
【００３６】
なお、本実施の形態では、入力部１２を車外に設置したリモコンから構成しているが、車内に表示パネルからなる入力部１２を設置し、バス等の車内での緊急事態を車外に知らせるために用いても良い。また、表示手段１１として液晶パネルを車両１５のウィンドウ１６の内側に貼り付けたが、液晶パネルと車両１５のウィンドウ１６を一体にしたものから表示手段を構成しても良い。
【００３７】
図４、図５は本発明に係る映像表示装置の第２の実施の形態を示す図であり、第１の実施の形態と同様の構成には同一番号を付して説明を省略する。
【００３８】
図４において、映像表示手段は、表示手段１１に加えて、音声出力部２１、異常検出部２２、記憶部２３および制御部２４から構成されている。
【００３９】
音声出力部２１はウィンドウに埋め込まれたスピーカから構成されており、音声通知を行う。
【００４０】
異常検出部２２は、例えば、ドアの開閉を検出するドア開閉センサ、エンジンの始動を検出する始動センサ、車両の加速度を検出する加速度センサ、あるいは車両の振動を検出する振動センサ等から構成されており、これらを検出すると、異常ありとして異常信号を制御部（表示制御手段）２４に出力する。なお、ドアの開閉を検出するドア開閉センサ、エンジンの始動を検出する始動センサ、車両の加速度を検出する加速度センサを設けなくても、ドアの開閉、エンジン始動による振動、加速度により車両に加わる振動を振動センサによって検出することにより異常を検出するようにしても良い。本実施の形態では、音声出力部２１が音声出力手段を構成している。
【００４１】
記憶部２３は異常が発生したときの音声メッセージや映像メッセージを記憶しており、制御部２４は異常検出部２２が車両の異常を検出したときに記憶部２３に記憶された音声メッセージおよび映像メッセージを読み出して表示手段１１に表示したり、音声出力部２１から出力する。本実施の形態では、音声出力部２１が音声出力手段を構成している。
【００４２】
次に、図５に基づいて異常検知方法を説明する。
【００４３】
まず、制御部２４は常時、異常の有無を監視しており（ステップＳ２１）、例えば、車両の所有者が車両に乗車していない状態で車両が加速した場合には、異常検出部２２が加速度を検出するので異常であると判断する。これにより制御部２４は、車外に出力する音声メッセージを記憶部２３から選択するとともに、車外に出力する映像メッセージを記憶部２３から選択し（ステップＳ２２）、音声出力部２１から選択した音声、例えば「盗難発生」を繰り返し出力するとともに、表示手段１１から選択した映像、例えば、泥棒が暴れているようなインパクトのある映像を表示する（ステップＳ２３）。
【００４４】
このように本実施の形態では、車両に異常が発生した場合に、車両のウィンドウに設けられた音声出力部２１から音声通知を行うとともに表示手段１１により表示を行うので、車両が盗難されるのをより一層防止することができる。特に、音声通知を行うので、車両から離れた場所に存在する人にも異常を通知することができる。
【００４５】
また、映像メッセージとしては、「盗難発生」と周囲に分かり易いように表示しても良い。また、車外に出力する音声の設定者は、車両の所有者ではなく所有者から委託された第三者であっても良い。第三者としては、例えば警備会社等が考えられる。
【００４６】
図６乃至図９は本発明に係る映像表示装置の第３の実施の形態を示す図であり、第１、２の実施の形態と同様の構成には同一番号を付して説明を省略する。
【００４７】
図６において、映像表示装置は、表示手段１１、音声出力部２１、異常検出部２２に加えて、記憶部３１、音声入力部３２、映像入力部３３、通信部３４および制御部３５を含んで構成される。
【００４８】
音声入力部３２は図７に示すように車両１５に取付けられたマイク３２ａから構成されており、映像入力部３３は車両１５に取付けられたカメラ３３ａから構成されている。制御部（表示制御手段）３５は映像入力部３３に入力された画像および音声入力部３２から入力された音声を通信部３４を介して無線で送信するようになっている。
【００４９】
ここで、車両１５の所有者がカメラ付き携帯電話を所持している場合には、通信部３４から携帯電話に映像入力部３３で撮像された映像および携帯電話のマイクから入力された音声が送信される。
【００５０】
また、携帯電話のマイクから所有者の音声が入力されるとともに携帯電話のカメラから画像が入力されると、通信部３４はこの画像および音声を受信する。制御部３５はこの音声を音声出力部２１から出力するとともに、表示手段１１に表示するようになっている。
【００５１】
一方、通信部３４は広告会社等からの映像メッセージおよび音声メッセージを含んだ広告を受信するようになっており、制御部３５は通信部３４が広告を受信するとこの広告を音声出力部２１から音声によって出力したり、表示手段１１に表示する。
【００５２】
また、記憶部３１には広告が記憶可能になっており、制御部３５は記憶部３１に記憶した広告を音声出力部２１から音声によって出力したり、表示手段１１に表示することもできる。
【００５３】
なお、本実施の形態では、通信部３４が送信手段および受信手段を構成し、映像入力部３３が撮像手段を構成し、音声入力部３２が音声入力手段を構成している。
【００５４】
次に、図８のフローチャートに基づいて異常検知方法を説明する。
【００５５】
まず、制御部３５は車両１５の異常の有無を監視している。例えば、路上に駐車している車両１５のライトが点灯しており、図７に示すように通行人４１が気づいた場合には、通行人４１が車両１５のウィンドウ１６を軽く叩くと、異常検出部２２が異常な振動を検出する（ステップＳ３１のＹＥＳ）。
【００５６】
このため、制御部３５は映像入力部３３によって通行人４１を撮像するとともに音声入力部３２に音声の入力を許可し、この映像および音声を通信部３４を介して車両１５の所有者の携帯電話に送信する（ステップＳ３２）。
【００５７】
次に、図９のフローチャートに基づいて広告の表示方法を説明する。
【００５８】
まず、制御部３５は通信の有無を監視しており、通信要求があるか否かを判別する（ステップＳ４１）。ここで、広告情報を保持する広告会社が存在し、広告会社と契約している車両１５が停車している場合を考える。停車している車両に広告を表示させたい際には、広告会社が車両１５に対して通信を開始し、制御部３５が通信を検出すると（ステップＳ４１のＹＥＳ）、広告映像および広告音声を音声出力部２１から出力するとともに表示手段１１に表示する（ステップＳ４２）。
【００５９】
なお、通信する車両１５は停車していなくても良い。また、広告映像および広告音声は広告会社が送信したものではなく、記憶部３１に記憶されたものでも良く、この場合には、広告会社からは広告映像および広告音声を記憶部３１から取り出す命令のみを送信する。
【００６０】
次いで、制御部３５が音声入力部３２または映像入力部３３からの入力を検出したか否かを判別し（ステップＳ４３）、音声入力部３２または映像入力部３３に映像や音声が入力した場合には、車両１５に異常が発生したことを意味するので、音声入力部３２または映像入力部３３に入力した音声や映像を優先して送信する。
【００６１】
また、広告映像や広告音声または、音声入力部３２や映像入力部３３に入力がない場合には回線を切断して（ステップＳ４４）通信を終了する。
【００６２】
このように本実施の形態では、異常検出部２２によって異常が検出されたときに、異常検出情報を通信部３４から車両１５の所有者に送信するようにしたので、車両１５から離れた人に車両１５の異常を知らせることができ、車両１５が盗難されるのをより一層防止することができる。
【００６３】
また、盗犯者がドアを抉じ開けようとする等して車両１５に振動が発生した場合に、映像入力部３３で盗犯者を撮像して盗犯者の画像を遠方に送信することができるので、盗犯者の特定を容易に行うことができる。
【００６４】
また、車両１５のライトが点灯したままのときに異常検出部２２によって車両１５の振動が検出されたときに、車両の周囲の音声を送信するようにしたので、通行人が音声入力部３２からその旨を送信することにより、電力が無駄に消費されてしまうこと等を防止することができる。
【００６５】
また、広告会社から車両に対して広告映像を送信したときに表示手段１１に表示したり、広告音声を送信したときに音声出力部２１から音声通知を行うようにしたので、車両１５の外部に存在する多数の人に効果的な情報を提供することができる。
【００６６】
なお、広告会社と通信する車両は複数でも良く、表示させる内容は個々の車両に応じた広告情報でも良い。また、本実施の形態では、映像表示装置を広告を表示するために用いたが、記録媒体に記録された情報を表示するため、あるいはテレビのモニタとして用いても良い。さらに、移動体を車両として説明したが、他にバスや電車、船舶、飛行機にも適用可能である。
【産業上の利用可能性】
【００６７】
以上のように、本発明に係る映像表示装置は、移動体の外部に存在する人に映像を提供することができるという効果を有し、車両等の移動体に設けられ、液晶表示パネル等に映像を表示する映像表示装置等として有用である。
【図面の簡単な説明】
【００６８】
【図１】本発明の第１の実施の形態に係る映像表示装置のブロック図
【図２】第１の実施の形態の車両の概略外観図
【図３】第１の実施の形態の映像の表示方法のフローチャート
【図４】本発明の第２の実施の形態に係る映像表示装置のブロック図
【図５】第２の実施の形態の異常検知方法のフローチャート
【図６】本発明の第３の実施の形態に係る映像表示装置のブロック図
【図７】第３の実施の形態の車両の概略外観図
【図８】第３の実施の形態の異常検知方法のフローチャート
【図９】第３の実施の形態の広告の表示方法のフローチャート
【図１０】従来の映像表示装置の概念図
【符号の説明】
【００６９】
１１  表示手段
１２  入力部（選択手段）
１４、２４、３５  制御部（表示制御手段）
２１  音声出力部（音声出力手段）
２２  異常検出部（異常検出手段）
３２  音声入力部（音声入力手段）
【図１】
2006082603.tif 000003
【図２】
2006082603.tif 000004
【図３】
2006082603.tif 000005
【図４】
2006082603.tif 000006
【図５】
2006082603.tif 000007
【図６】
2006082603.tif 000008
【図７】
2006082603.tif 000009
【図８】
2006082603.tif 000010
【図９】
2006082603.tif 000011
【図１０】
2006082603.tif 000012